(57)【特許請求の範囲】
【請求項１】
印刷発行物を開口部より発行する印刷物発行装置であって、
印刷用紙を前記開口部へ向けて搬送するとともに該搬送される印刷用紙に印刷することにより前記印刷発行物を印刷する印刷部と、
前記印刷発行物を前記印刷用紙から完全に切り離すように切断する切断部と、
少なくとも前記開口部を開放する開放位置と前記開口部を閉鎖する閉鎖位置との間で移動可能であり、前記開口部に設けられたシャッター部材と、
前記開放位置と前記閉鎖位置との間で前記シャッター部材を開閉制御するシャッター制御部と、
前記印刷部と前記切断部と前記シャッター制御部とを制御する制御部と、
を有し、
前記制御部が、
前記印刷部による印刷が完了したことを条件として、前記シャッター制御部を制御して前記シャッター部材を閉じ、該シャッター部材が、前記印刷発行物を保持可能である予め定められた保持可能範囲にあることを条件として、前記切断部を制御して前記印刷発行物を前記印刷用紙から切断し、切断された前記印刷発行物をシャッター部材で挟んで保持された状態とする
ことを特徴とする印刷物発行装置。
【請求項２】
印刷発行物を開口部より発行する印刷物発行装置であって、
印刷用紙を前記開口部へ向けて搬送するとともに該搬送される印刷用紙に印刷することにより前記印刷発行物を印刷する印刷部と、
前記印刷発行物を前記印刷用紙から完全に切り離すように切断する切断部と、
少なくとも前記開口部を開放する開放位置と前記開口部を閉鎖する閉鎖位置との間で移動可能であり、前記開口部に設けられたシャッター部材と、
前記開放位置と前記閉鎖位置との間で前記シャッター部材を開閉制御するシャッター制御部と、
前記印刷部と前記切断部と前記シャッター制御部とを制御する制御部と、
を有し、
前記制御部が、
前記印刷部による印刷が完了し、前記印刷用紙が前記開口部に搬送されたことを条件として、前記切断部を制御して前記印刷発行物を前記印刷用紙から切断し、その後、前記シャッター制御部を制御して前記シャッター部材を閉じて、切断された前記印刷発行物をシャッター部材で挟んで保持された状態とする
ことを特徴とする印刷物発行装置。
【請求項３】
前記制御部が、
前記印刷発行物を発行する信号が入力されたことを条件として、前記シャッター制御部を制御して前記シャッター部材を開くとともに、前記印刷部を制御して前記印刷発行物を印刷する、
ことを特徴とする請求項１または２に記載の印刷物発行装置。
【請求項４】
前記制御部が、
前記印刷発行物を、前記シャッター部材が前記保持可能範囲で保持可能となる予め定められた保持可能位置まで閉じたことを条件に、前記切断部を制御して前記印刷発行物を切断する、
ことを特徴とする請求項１に記載の印刷物発行装置。
【請求項５】
前記シャッター制御部が、
前記保持可能位置の情報が予め記憶されている保持可能位置情報記憶部と、
前記シャッター部材の開閉位置を検出する第１の開閉位置検出部と、
前記第１の開閉位置検出部により検出された開閉位置が、前記保持可能位置情報記憶部から読み出した保持可能位置の情報で示される開閉位置以上に閉じているか否かを判定する保持可能位置判定部と、
前記保持可能位置判定部の判定した結果が閉じている場合に、前記印刷発行物を前記シャッター部材により保持可能となるまで前記シャッター部材が閉じたことを示す保持可能信号を前記制御部に出力する保持可能信号出力部と、
を有し、
前記制御部が、
前記保持可能信号が前記シャッター制御部から入力されたことを条件として、前記切断部を制御して前記印刷発行物を切断する、
ことを特徴とする請求項４に記載の印刷物発行装置。
【請求項６】
前記制御部が、
前記印刷発行物を前記開口部から排出可能となる予め定められた排出可能位置まで前記シャッター部材が開いたことを条件として、前記印刷部を制御して前記印刷発行物を印刷する、
ことを特徴とする請求項１から請求項５に記載の印刷物発行装置。
【請求項７】
前記シャッター制御部が、
前記排出可能位置の情報が予め記憶されている排出可能位置情報記憶部と、
前記シャッター部材の開閉位置を検出する第２の開閉位置検出部と、
前記第２の開閉位置検出部により検出された開閉位置が、前記排出可能位置情報記憶部から読み出した排出可能位置情報で示される開閉位置以上に開いているか否かを判定する排出可能位置判定部と、
前記排出可能位置判定部の判定した結果が開いている場合に、前記印刷発行物を前記開口部から排出可能となるまで前記シャッター部材が開いたことを示す排出可能信号を前記制御部に出力する排出可能信号出力部と、
を有し、
前記制御部が、
前記排出可能信号が前記シャッター制御部から入力されたことを条件として、前記印刷部を制御して前記印刷発行物を印刷する、
ことを特徴とする請求項６に記載の印刷物発行装置。
【請求項８】
前記印刷部と前記開口部との間の前記シャッター部材が開閉する位置に、前記シャッター部材が閉じる方向に没する紙受板が設けられている、
ことを特徴とする請求項１から請求項７に記載の印刷物発行装置。
【請求項９】
前記シャッター部材は、前記閉鎖位置において、前記シャッター部材の下端面と前記紙受板の表面とにより、前記印刷発行物を挟み、前記印刷発行物を保持し、
前記印刷発行物を挟むシャッター部材の下端面と紙受板との表面とは、それぞれ、保持されている印刷発行物に必要な張力が加えられることにより、保持された印刷発行物が、取り出されることが可能なように、表面加工がされている、
ことを特徴とする請求項８に記載の印刷物発行装置。
【請求項１０】
前記切断部と前記開口部との間に設置され、前記印刷部が印刷した印刷用紙を前記開口部に挟持して搬送するローラ部、
を有することを特徴とする請求項１から請求項９に記載の印刷物発行装置。
【請求項１１】
前記制御部が、
前記ローラ部を制御して、
前記印刷部が前記印刷用紙を印刷して搬送している場合には、前記印刷用紙を挟持して搬送し、
前記切断部が前記印刷発行物を前記印刷用紙から完全に切り離した場合には、前記印刷発行物を挟持する、
ことを特徴とする請求項１０に記載の印刷物発行装置。
【請求項１２】
前記制御部が、
前記ローラ部を制御して、
前記切断部が前記印刷発行物を前記印刷用紙から切断している場合には、前記印刷発行物を挟持しつつ搬送を停止する、
ことを特徴とする請求項１０または請求項１１に記載の印刷物発行装置。
【請求項１３】
前記ローラ部が前記印刷用紙を挟持して搬送する速度が、
前記印刷部が前記印刷用紙を搬送する速度よりも速い、
ことを特徴とする請求項１０から請求項１２に記載の印刷物発行装置。
【請求項１４】
前記ローラ部が、
前記搬送される印刷用紙に対して互いに対向する位置に設置されている押さえローラと送り出しローラとを有しており、
前記送り出しローラが、前記印刷用紙を搬送するように回転駆動され、
前記押さえローラが、前記送り出しローラの方向に付勢されている、
ことを特徴とする請求項１０から請求項１３に記載の印刷物発行装置。
【請求項１５】
印刷発行物を開口部より発行する印刷物発行装置において用いられる印刷物発行方法であって、
前記印刷物発行装置が、
印刷用紙を前記開口部へ向けて搬送するとともに該搬送される印刷用紙に印刷することにより前記印刷発行物を印刷する印刷部と、
前記印刷発行物を前記印刷用紙から完全に切り離すように切断する切断部と、
少なくとも前記開口部を開放する開放位置と前記開口部を閉鎖する閉鎖位置との間で移動可能であり、前記開口部に設けられたシャッター部材と、
前記開放位置と前記閉鎖位置との間で前記シャッター部材を開閉制御するシャッター制御部と、
前記印刷部と前記切断部と前記シャッター制御部とを制御する制御部と、
を有し、
前記制御部が、
前記印刷部による印刷が完了したことを条件として、前記シャッター制御部を制御して前記シャッター部材を閉じ、該シャッター部材が、前記印刷発行物を保持可能である予め定められた保持可能範囲にあることを条件として、前記切断部を制御して前記印刷発行物を前記印刷用紙から完全に切り離すように切断し、切断された前記印刷発行物をシャッター部材で挟んで保持された状態とする切断手順、
を有することを特徴とする印刷物発行方法。
【請求項１６】
印刷発行物を開口部より発行する印刷物発行装置において用いられる印刷物発行方法であって、
前記印刷物発行装置が、
印刷用紙を前記開口部へ向けて搬送するとともに該搬送される印刷用紙に印刷することにより前記印刷発行物を印刷する印刷部と、
前記印刷発行物を前記印刷用紙から完全に切り離すように切断する切断部と、
少なくとも前記開口部を開放する開放位置と前記開口部を閉鎖する閉鎖位置との間で移動可能であり、前記開口部に設けられたシャッター部材と、
前記開放位置と前記閉鎖位置との間で前記シャッター部材を開閉制御するシャッター制御部と、
前記印刷部と前記切断部と前記シャッター制御部とを制御する制御部と、
を有し、
前記制御部が、
前記印刷部による印刷が完了し、前記印刷用紙が前記開口部に搬送されたことを条件として、前記切断部を制御して前記印刷発行物を前記印刷用紙から完全に切り離すように切断し、その後、前記シャッター制御部を制御して前記シャッター部材を閉じて、切断された前記印刷発行物をシャッター部材で挟んで保持された状態とする切断手順、
を有することを特徴とする印刷物発行方法。
【請求項１７】
印刷発行物を開口部より発行する印刷物発行装置において用いられる印刷物発行プログラムであって、
前記印刷物発行装置が、
印刷用紙を前記開口部へ向けて搬送するとともに該搬送される印刷用紙に印刷することにより前記印刷発行物を印刷する印刷部と、
前記印刷発行物を前記印刷用紙から完全に切り離すように切断する切断部と、
少なくとも前記開口部を開放する開放位置と前記開口部を閉鎖する閉鎖位置との間で移動可能であり、前記開口部に設けられたシャッター部材と、
前記開放位置と前記閉鎖位置との間で前記シャッター部材を開閉制御するシャッター制御部と、
前記印刷部と前記切断部と前記シャッター制御部とを制御する制御部と、
を有し、
前記制御部としてのコンピュータに、
前記印刷部による印刷が完了したことを条件として、前記シャッター制御部を制御して前記シャッター部材を閉じ、該シャッター部材が、前記印刷発行物を保持可能である予め定められた保持可能範囲にあることを条件として、前記切断部を制御して前記印刷発行物を前記印刷用紙から完全に切り離すように切断し、切断された前記印刷発行物をシャッター部材で挟んで保持された状態とする切断手順、
を実行させるための印刷物発行プログラム。
【請求項１８】
印刷発行物を開口部より発行する印刷物発行装置において用いられる印刷物発行プログラムであって、
前記印刷物発行装置が、
印刷用紙を前記開口部へ向けて搬送するとともに該搬送される印刷用紙に印刷することにより前記印刷発行物を印刷する印刷部と、
前記印刷発行物を前記印刷用紙から完全に切り離すように切断する切断部と、
少なくとも前記開口部を開放する開放位置と前記開口部を閉鎖する閉鎖位置との間で移動可能であり、前記開口部に設けられたシャッター部材と、
前記開放位置と前記閉鎖位置との間で前記シャッター部材を開閉制御するシャッター制御部と、
前記印刷部と前記切断部と前記シャッター制御部とを制御する制御部と、
を有し、
前記制御部としてのコンピュータに、
前記印刷部による印刷が完了し、前記印刷用紙が前記開口部に搬送されたことを条件として、前記切断部を制御して前記印刷発行物を前記印刷用紙から完全に切り離すように切断し、その後、前記シャッター制御部を制御して前記シャッター部材を閉じて、切断された前記印刷発行物をシャッター部材で挟んで保持された状態とする切断手順、
を実行させるための印刷物発行プログラム。
【発明の詳細な説明】
【技術分野】
【０００１】
本発明は、印刷発行物を開口部より発行する印刷物発行装置の技術に関し、特に、紙詰まりを生じさせることなく、印刷発行物を人が取り出すまでは保持することのできる印刷物発行装置の技術に関する。
【背景技術】
【０００２】
一例としての、従来の料金自動収受機などに用いられる印刷物発行装置１０１の概略構成を、図１０に示す。図１０（ａ）は、印刷物発行装置１０１を、横から見た場合の断面図である。この図１０（ａ）に示すように、印刷物発行装置１０１に搭載されている領収書発行ユニット１１０は、印刷用紙１０２を搬送するとともに該印刷用紙１０２に印刷（印字）し、印刷した印刷用紙１０２を領収書（印刷発行物）としてガイド部材１０４を介して、印刷物発行装置１０１の前面に設けられた開口部１０３から発行した後に、この印刷用紙１０２をパーシャルカットしている。このパーシャルカットとは、印刷用紙１０２を完全に切り離さずに、印刷用紙１０２の一部を切り残す切り方である。
【０００３】
次に、図１０（ｂ）に、一例としての領収書発行ユニット１１０と、印刷用紙１０２とを上から見た図を示す。この印刷用紙１０２は、符号Ａ２００の波線で示されるようにパーシャルカットされている。また、このパーシャルカットされた領収書は、符号Ａ２０１に示すように、領収書の一部が切り残してあるため、領収書は、印刷物発行装置１０１から自重で落ちることや、風で飛ばされたりすることがない。つまり、発行された領収書は、人が取り出すまでは、印刷物発行装置１０１に保持されている。その後、人が領収書を手で引っ張ることにより、切り残してあった領収書の一部が切断され、領収書が印刷物発行装置１０１から取り出される。
【０００４】
また、領収書発行ユニット１１０として、パーシャルカットではなく、フルカットする単票発行装置が知られている（特許文献１参照）。
【特許文献１】特開２００６−７６１６６号公報
【発明の開示】
【発明が解決しようとする課題】
【０００５】
しかしながら、従来の印刷物発行装置１０１にあっては、領収書がユーザに引っ張られて張力により取り出されるために、この張力が、領収書と一部がつながっている印刷用紙１０２にまで及ぶことがある。そのため、印刷用紙１０２が通常の送り経路からずれてしまい（具体的には、片寄り状態となり）、領収書発行ユニット１１０の内部またはガイド部材１０４で挟まり、紙詰まりの原因になるという問題があった。
【０００６】
例えば、図１０（ｃ）に示すように、ユーザが領収書を図面上において左上方向に引っ張ってしまい、そのため、印刷用紙１０２が、符号Ａ２０２で示されるように、ガイド部材１０４の左上部に、挟まることがあった。なお、この図１０（ｃ）は、図１０（ａ）の開口部１０３を前面から見た図である。
【０００７】
また、印刷用紙１０２が領収書発行ユニット１１０の内部またはガイド部材１０４に挟まると、その後の印刷において、印刷用紙１０２がガイド部材１０４または開口部１０３から正常に排出されず、領収書発行ユニット１１０の内部または領収書発行ユニット１１０から開口部１０３の間で印刷用紙１０２が紙詰まりを起こすという問題が生じていた。
【０００８】
なお、特許文献１に示されるような単票発行装置を領収書発行ユニット１１０に用いる場合には、印刷用紙をフルカットするとともに、印刷用紙１０２の幅方向両端部を本来の切断位置よりも奥に深く斜めに切断することにより、紙詰まりを防止することができた。しかしながら、特許文献１に示されるような単票発行装置を用いる場合には、印刷用紙１０２をフルカットしてしまうために、印刷発行物を人が取り出すまでは保持することができない場合があるという問題が生じていた。
【０００９】
本発明は、このような事情に鑑みてなされたもので、その目的は、紙詰まりを生じさせることなく、印刷発行物を人が取り出すまでは保持することのできる印刷物発行装置を提供することにある。
【課題を解決するための手段】
【００１０】
この発明は上述した課題を解決するためになされたもので、  印刷発行物を開口部より発行する印刷物発行装置であって、印刷用紙を前記開口部へ向けて搬送するとともに該搬送される印刷用紙に印刷することにより前記印刷発行物を印刷する印刷部と、前記印刷発行物を前記印刷用紙から完全に切り離すように切断する切断部と、少なくとも前記開口部を開放する開放位置と前記開口部を閉鎖する閉鎖位置との間で移動可能であり、前記開口部に設けられたシャッター部材と、前記開放位置と前記閉鎖位置との間で前記シャッター部材を開閉制御するシャッター制御部と、前記印刷部と前記切断部と前記シャッター制御部とを制御する制御部と、を有し、前記制御部が、前記印刷部による印刷が完了したことを条件として、前記シャッター制御部を制御して前記シャッター部材を閉じ、該シャッター部材が、前記印刷発行物を保持可能である予め定められた保持可能範囲にあることを条件として、前記切断部を制御して前記印刷発行物を前記印刷用紙から切断し、切断された前記印刷発行物をシャッター部材で挟んで保持された状態とすることを特徴とする印刷物発行装置である。
また、本発明は、印刷発行物を開口部より発行する印刷物発行装置であって、印刷用紙を前記開口部へ向けて搬送するとともに該搬送される印刷用紙に印刷することにより前記印刷発行物を印刷する印刷部と、前記印刷発行物を前記印刷用紙から完全に切り離すように切断する切断部と、少なくとも前記開口部を開放する開放位置と前記開口部を閉鎖する閉鎖位置との間で移動可能であり、前記開口部に設けられたシャッター部材と、前記開放位置と前記閉鎖位置との間で前記シャッター部材を開閉制御するシャッター制御部と、前記印刷部と前記切断部と前記シャッター制御部とを制御する制御部と、を有し、前記制御部が、前記印刷部による印刷が完了し、前記印刷用紙が前記開口部に搬送されたことを条件として、前記切断部を制御して前記印刷発行物を前記印刷用紙から切断し、その後、前記シャッター制御部を制御して前記シャッター部材を閉じて、切断された前記印刷発行物をシャッター部材で挟んで保持された状態とすることを特徴とする印刷物発行装置である。
【００１１】
また、本発明は、前記制御部が、前記印刷発行物を発行する信号が入力されたことを条件として、前記シャッター制御部を制御して前記シャッター部材を開くとともに、前記印刷部を制御して前記印刷発行物を印刷する、ことを特徴とする印刷物発行装置である。
【００１２】
また、本発明は、前記制御部が、前記印刷発行物を、前記シャッター部材が前記保持可能範囲で保持可能となる予め定められた保持可能位置まで閉じたことを条件に、前記切断部を制御して前記印刷発行物を切断する、ことを特徴とする印刷物発行装置である。
【００１３】
また、本発明は、前記シャッター制御部が、前記保持可能位置の情報が予め記憶されている保持可能位置情報記憶部と、前記シャッター部材の開閉位置を検出する第１の開閉位置検出部と、前記第１の開閉位置検出部により検出された開閉位置が、前記保持可能位置情報記憶部から読み出した保持可能位置の情報で示される開閉位置以上に閉じているか否かを判定する保持可能位置判定部と、前記保持可能位置判定部の判定した結果が閉じている場合に、前記印刷発行物を前記シャッター部材により保持可能となるまで前記シャッター部材が閉じたことを示す保持可能信号を前記制御部に出力する保持可能信号出力部と、を有し、前記制御部が、前記保持可能信号が前記シャッター制御部から入力されたことを条件として、前記切断部を制御して前記印刷発行物を切断する、ことを特徴とする印刷物発行装置である。
【００１４】
また、本発明は、前記制御部が、前記印刷発行物を前記開口部から排出可能となる予め定められた排出可能位置まで前記シャッター部材が開いたことを条件として、前記印刷部を制御して前記印刷発行物を印刷する、ことを特徴とする印刷物発行装置である。
【００１５】
また、本発明は、前記シャッター制御部が、前記排出可能位置の情報が予め記憶されている排出可能位置情報記憶部と、前記シャッター部材の開閉位置を検出する第２の開閉位置検出部と、前記第２の開閉位置検出部により検出された開閉位置が、前記排出可能位置情報記憶部から読み出した排出可能位置情報で示される開閉位置以上に開いているか否かを判定する排出可能位置判定部と、前記排出可能位置判定部の判定した結果が開いている場合に、前記印刷発行物を前記開口部から排出可能となるまで前記シャッター部材が開いたことを示す排出可能信号を前記制御部に出力する排出可能信号出力部と、を有し、前記制御部が、前記排出可能信号が前記シャッター制御部から入力されたことを条件として、前記印刷部を制御して前記印刷発行物を印刷する、ことを特徴とする印刷物発行装置である。
【００１６】
また、本発明は、前記印刷部と前記開口部との間の前記シャッター部材が開閉する位置に、前記シャッター部材が閉じる方向に没する紙受板が設けられている、ことを特徴とする印刷物発行装置である。
【００１７】
また、本発明は、前記シャッター部材は、前記閉鎖位置において、前記シャッター部材の下端面と前記紙受板の表面とにより、前記印刷発行物を挟み、前記印刷発行物を保持し、前記印刷発行物を挟むシャッター部材の下端面と紙受板との表面とは、それぞれ、保持されている印刷発行物に必要な張力が加えられることにより、保持された印刷発行物が、取り出されることが可能なように、表面加工がされている、ことを特徴とする印刷物発行装置である。
【００１８】
また、本発明は、前記切断部と前記開口部との間に設置され、前記印刷部が印刷した印刷用紙を前記開口部に挟持して搬送するローラ部、を有することを特徴とする印刷物発行装置である。
【００１９】
また、本発明は、前記制御部が、前記ローラ部を制御して、前記印刷部が前記印刷用紙を印刷して搬送している場合には、前記印刷用紙を挟持して搬送し、前記切断部が前記印刷発行物を前記印刷用紙から完全に切り離した場合には、前記印刷発行物を挟持する、ことを特徴とする印刷物発行装置である。
【００２０】
また、本発明は、前記制御部が、前記ローラ部を制御して、前記切断部が前記印刷発行物を前記印刷用紙から切断している場合には、前記印刷発行物を挟持しつつ搬送を停止する、ことを特徴とする印刷物発行装置である。
【００２１】
また、本発明は、前記ローラ部が前記印刷用紙を挟持して搬送する速度が、前記印刷部が前記印刷用紙を搬送する速度よりも速い、ことを特徴とする印刷物発行装置である。
【００２２】
また、本発明は、前記ローラ部が、前記搬送される印刷用紙に対して互いに対向する位置に設置されている押さえローラと送り出しローラとを有しており、前記送り出しローラが、前記印刷用紙を搬送するように回転駆動され、前記押さえローラが、前記送り出しローラの方向に付勢されている、ことを特徴とする印刷物発行装置である。
【００２３】
また、本発明は、印刷発行物を開口部より発行する印刷物発行装置において用いられる印刷物発行方法であって、前記印刷物発行装置が、印刷用紙を前記開口部へ向けて搬送するとともに該搬送される印刷用紙に印刷することにより前記印刷発行物を印刷する印刷部と、前記印刷発行物を前記印刷用紙から完全に切り離すように切断する切断部と、少なくとも前記開口部を開放する開放位置と前記開口部を閉鎖する閉鎖位置との間で移動可能であり、前記開口部に設けられたシャッター部材と、前記開放位置と前記閉鎖位置との間で前記シャッター部材を開閉制御するシャッター制御部と、前記印刷部と前記切断部と前記シャッター制御部とを制御する制御部と、を有し、前記制御部が、前記印刷部による印刷が完了したことを条件として、前記シャッター制御部を制御して前記シャッター部材を閉じ、該シャッター部材が、前記印刷発行物を保持可能である予め定められた保持可能範囲にあることを条件として、前記切断部を制御して前記印刷発行物を前記印刷用紙から完全に切り離すように切断し、切断された前記印刷発行物をシャッター部材で挟んで保持された状態とする切断手順、を有することを特徴とする印刷物発行方法である。
また、本発明は、印刷発行物を開口部より発行する印刷物発行装置において用いられる印刷物発行方法であって、前記印刷物発行装置が、印刷用紙を前記開口部へ向けて搬送するとともに該搬送される印刷用紙に印刷することにより前記印刷発行物を印刷する印刷部と、前記印刷発行物を前記印刷用紙から完全に切り離すように切断する切断部と、少なくとも前記開口部を開放する開放位置と前記開口部を閉鎖する閉鎖位置との間で移動可能であり、前記開口部に設けられたシャッター部材と、前記開放位置と前記閉鎖位置との間で前記シャッター部材を開閉制御するシャッター制御部と、前記印刷部と前記切断部と前記シャッター制御部とを制御する制御部と、を有し、前記制御部が、前記印刷部による印刷が完了し、前記印刷用紙が前記開口部に搬送されたことを条件として、前記切断部を制御して前記印刷発行物を前記印刷用紙から完全に切り離すように切断し、その後、前記シャッター制御部を制御して前記シャッター部材を閉じて、切断された前記印刷発行物をシャッター部材で挟んで保持された状態とする切断手順、を有することを特徴とする印刷物発行方法である。
【００２４】
また、本発明は、印刷発行物を開口部より発行する印刷物発行装置において用いられる印刷物発行プログラムであって、前記印刷物発行装置が、印刷用紙を前記開口部へ向けて搬送するとともに該搬送される印刷用紙に印刷することにより前記印刷発行物を印刷する印刷部と、前記印刷発行物を前記印刷用紙から完全に切り離すように切断する切断部と、  少なくとも前記開口部を開放する開放位置と前記開口部を閉鎖する閉鎖位置との間で移動可能であり、前記開口部に設けられたシャッター部材と、前記開放位置と前記閉鎖位置との間で前記シャッター部材を開閉制御するシャッター制御部と、前記印刷部と前記切断部と前記シャッター制御部とを制御する制御部と、を有し、前記制御部としてのコンピュータに、前記印刷部による印刷が完了したことを条件として、前記シャッター制御部を制御して前記シャッター部材を閉じ、該シャッター部材が、前記印刷発行物を保持可能である予め定められた保持可能範囲にあることを条件として、前記切断部を制御して前記印刷発行物を前記印刷用紙から完全に切り離すように切断し、切断された前記印刷発行物をシャッター部材で挟んで保持された状態とする切断手順、を実行させるための印刷物発行プログラムである。
また、本発明は、印刷発行物を開口部より発行する印刷物発行装置において用いられる印刷物発行プログラムであって、前記印刷物発行装置が、印刷用紙を前記開口部へ向けて搬送するとともに該搬送される印刷用紙に印刷することにより前記印刷発行物を印刷する印刷部と、前記印刷発行物を前記印刷用紙から完全に切り離すように切断する切断部と、  少なくとも前記開口部を開放する開放位置と前記開口部を閉鎖する閉鎖位置との間で移動可能であり、前記開口部に設けられたシャッター部材と、前記開放位置と前記閉鎖位置との間で前記シャッター部材を開閉制御するシャッター制御部と、前記印刷部と前記切断部と前記シャッター制御部とを制御する制御部と、を有し、前記制御部としてのコンピュータに、前記印刷部による印刷が完了し、前記印刷用紙が前記開口部に搬送されたことを条件として、前記切断部を制御して前記印刷発行物を前記印刷用紙から完全に切り離すように切断し、その後、前記シャッター制御部を制御して前記シャッター部材を閉じて、切断された前記印刷発行物をシャッター部材で挟んで保持された状態とする切断手順、を実行させるための印刷物発行プログラムである。
【発明の効果】
【００２５】
この発明によれば、印刷発行物を開口部より発行する印刷物発行装置が、印刷用紙を開口部へ向けて搬送するとともに該搬送される印刷用紙に印刷することにより印刷発行物を印刷する印刷部と、印刷発行物を印刷用紙から完全に切り離すように切断する切断部と、少なくとも開口部を開放する開放位置と開口部を閉鎖する閉鎖位置との間で移動可能であり、開口部に設けられたシャッター部材と、開放位置と閉鎖位置との間でシャッター部材を開閉制御するシャッター制御部と、印刷部と切断部とシャッター制御部とを制御する制御部と、を有し、制御部が、印刷部による印刷が完了したことを条件として、シャッター制御部を制御してシャッター部材を閉じるとともに、切断部を制御して印刷発行物を印刷用紙から切断することにより、切断された印刷発行物が閉じられたシャッター部材に保持されることにより、印刷物発行装置が印刷発行物を人が取り出すまでは保持するという効果を奏するとともに、印刷発行物が印刷用紙から完全に切り離されているために、人が印刷発行物を取り出す場合においても、これから印刷される印刷用紙には外力が加わることがないために、紙詰まりを生じさせることがないという効果を奏する。
【発明を実施するための最良の形態】
【００２６】
＜第１の実施形態＞
以下、図面を参照して、本発明の実施形態について説明する。図１は、この発明の第１の実施形態による印刷物発行装置１の概略構成図である。ここでは、料金自動収受機などに用いられる印刷物発行装置１が、水平方向に印刷発行物として領収書を発行する場合について説明する。なお、以降においては、印刷物発行装置１において、本願発明と関係する構成のみについて説明する。
【００２７】
図１（ａ）は、印刷物発行装置１を横から見た場合の断面図である。この図１（ａ）に示すように、印刷物発行装置１に搭載されている領収書発行ユニット１０は、印刷用紙２を搬送するとともに該印刷用紙２に印刷（印字）し、印刷した印刷用紙２を領収書（印刷発行物）としてガイド部材４を介して、印刷物発行装置１の前面に設けられた開口部３から発行した後に、この印刷用紙２をフルカットする。このフルカットとは、印刷用紙２を完全に切り離す切り方である。また、領収書とは、印刷用紙２がフルカットなどにより切断された紙片のことである。
例えば、図１（ｂ）に示すように、領収書発行ユニット１０と印刷用紙２とを上から見た場合、この印刷用紙２は符号Ａ３００の波線で示されるようにフルカットされる。
【００２８】
また、印刷物発行装置１は、シャッター部材４０を有している。印刷物発行装置１は、少なくとも印刷用紙２をフルカットする前に、シャッター部材４０を閉じ、開口部３を閉鎖する。シャッター部材４０が閉じていることにより、フルカットされた印刷用紙２である領収書は、シャッター部材４０に挟まれて印刷物発行装置１に保持され、人が取り出すまでは、自重で落ちることや、風で飛ばされることが無い。
【００２９】
また、領収書がユーザの手で任意の方向に引っ張って取り出された場合であっても、領収書はフルカットされているため、この張力が、これから印刷される印刷用紙２まで及んで引っ張られることはない。そのため、領収書発行ユニット１０の内部またはガイド部材４における印刷用紙２の走行経路を乱すことによる紙詰まりを防止することができる。
【００３０】
より具体的には、図１（ｃ）に示すように、ユーザが領収書を任意の方向に引っ張って取り出した場合であっても、印刷用紙２は領収書と完全に切り離されているため、印刷用紙２はガイド部材４に挟まることがない。なお、この図１（ｃ）は、図１（ａ）の開口部３を前面から見た図である。
【００３１】
次に、図２と図３とを用いて、印刷物発行装置１の構成について説明する。図２は印刷物発行装置１の構成を示す概略ブロック図であり、図３はシャッター部材４０を開いた状態における印刷物発行装置１を横から見た断面図である。なお、以降において、同一の構成については同一の符号を付し、その説明を省略する。
【００３２】
まず、図３に示すように、印刷物発行装置１は、ガイド部材４を有している。ガイド部材４は、領収書発行ユニット１０が搬送する印刷用紙２を、開口部３へ案内する。ここでいう開口部３とは、印刷物発行装置１の筐体を形成する部材において、印刷用紙２を印刷物発行装置１から取り出すために予め開かれている開口である。また、ここでは、ガイド部材４の上側の部材を上側ガイド部材４ａ、ガイド部材４の下側の部材を下側ガイド部材４ｂとして説明する。また、図３のロータリーカッター６０（切断部）は、後述する図２のカッター部１２により制御され、印刷用紙２をフルカットする。また、印刷物発行装置１は、領収書発行釦７０を前面に有している。
【００３３】
図２の説明にもどり、印刷物発行装置１は、領収書発行ユニット１０と、シャッターユニット２０と、制御部３０とを有する。この領収書発行ユニット１０は、印字制御部１１と印字搬送部（印字部）１３とカッター部１２とを有する。また、シャッターユニット２０は、シャッター制御部２１を有する。
【００３４】
印字搬送部１３は、印刷用紙２を開口部３へ向けて搬送するとともに、該搬送される印刷用紙２に印刷することにより領収書を印刷する。また、印字搬送部１３は、印刷および搬送が完了したことを条件として（完了したことに応じて）、印字完了信号を、印字制御部１１を介して制御部３０に出力する。なお、印刷用紙２は、例えば、ロール紙である。カッター部１２は、領収書を印刷用紙２からフルカットする。印字制御部１１は、カッター部１２と印字搬送部１３とを制御する。
【００３５】
シャッター制御部２１は、シャッター部材４０を開閉制御する。なお、このシャッター部材４０は、図３に示すように、少なくとも開口部３を開放する開放位置（図３の符号Ｐ１の位置）と、開口部３を閉鎖する閉鎖位置（図３の符号Ｐ２の位置）との間で移動可能であり、開口部３に設けられている。例えば、シャッター部材４０は、開口部３の前面または後面に設けられている。なお、シャッター制御部２１は、開放位置Ｐ１と閉鎖位置Ｐ２との間でシャッター部材４０を開閉制御する。
【００３６】
ここに、保持可能範囲とは、シャッター部材４０と、開口部３の紙受板５０との間に印刷用紙２を保持することができる位置をいう。この保持可能範囲とは、閉鎖位置Ｐ２と後述する保持可能位置Ｐ４との間の範囲のことである。
また、ここに、排出可能範囲とは、印刷用紙２を開口部３から排出することができるシャッター部材４０の位置をいう。この排出可能範囲とは、開放位置Ｐ１と後述する排出可能位置Ｐ３との間の範囲のことである。
【００３７】
例えば、シャッター制御部２１は、ソレノイドによりシャッター部材４０を開閉制御する。また、シャッター部材４０は、自重により、閉じている。そのため、シャッター部材４０は、閉じた状態で領収書を自重で挟み保持しているが、領収書が必要な力で引っ張られることにより、領収書は取り出されることが可能である。
【００３８】
制御部３０は、印字制御部１１を介して印字搬送部１３とカッター部１２とを制御するとともに、シャッター制御部２１を制御する。また、制御部３０は、領収書を発行する信号が入力されたことに応じて、シャッター制御部２１を制御してシャッター部材４０を開くとともに、印字搬送部１３を制御して領収書を印刷する。また、制御部３０は、印字搬送部１３による印刷が完了したことに応じて、シャッター制御部２１を制御してシャッター部材４０を閉じるとともに、カッター部１２を制御して領収書をフルカットする。
【００３９】
また、制御部３０は、少なくとも領収書をシャッター部材４０により保持可能となる予め定められた保持可能位置（図３の符号Ｐ４の位置）までシャッター部材４０が閉じた後に、印字制御部１１を介してカッター部１２を制御して、領収書をフルカットする。つまり、制御部３０は、シャッター部材４０が保持可能範囲にあることを条件として、印字制御部１１を介してカッター部１２を制御して、領収書をフルカットする。
【００４０】
例えば、シャッター制御部２１が、保持可能位置情報記憶部と、第１の開閉位置検出部と、保持可能位置判定部と、保持可能信号出力部とを有するようにする。この保持可能位置情報記憶部には、保持可能位置Ｐ４の情報が予め記憶されている。第１の開閉位置検出部は、シャッター部材４０の開閉位置を検出する。保持可能位置判定部は、第１の開閉位置検出部により検出された開閉位置が、保持可能位置情報記憶部から読み出した保持可能位置Ｐ４の情報で示される開閉位置以上に閉じているか否かを判定する。保持可能信号出力部は、保持可能位置判定部の判定した結果が閉じている場合に、領収書をシャッター部材４０により保持可能となるまでシャッター部材４０が閉じたことを示す保持可能信号を制御部３０に出力する。また、制御部３０が、保持可能信号がシャッター制御部２１から入力されたことに応じて、印字制御部１１を介してカッター部１２を制御して、領収書をフルカットする。
【００４１】
また、制御部３０は、少なくとも領収書を開口部３から排出可能となる予め定められた排出可能位置（図３の符号Ｐ３の位置）までシャッター部材４０が開いた後に、印字制御部１１を介して印字搬送部１３を制御して領収書を印刷する。つまり、制御部３０は、シャッター部材４０が排出可能範囲にあることを条件として、印字制御部１１を介して印字搬送部１３を制御して領収書を印刷する。
【００４２】
例えば、シャッター制御部２１が、排出可能位置情報記憶部と、第２の開閉位置検出部と、排出可能位置判定部と、排出可能信号出力部とを有するようにする。この排出可能位置情報記憶部には、排出可能位置Ｐ３の情報が予め記憶されている。第２の開閉位置検出部は、シャッター部材４０の開閉位置を検出する。排出可能位置判定部は、第２の開閉位置検出部により検出された開閉位置が、排出可能位置情報記憶部から読み出した排出可能位置情報で示される開閉位置以上に開いているか否かを判定する。排出可能信号出力部は、排出可能位置判定部の判定した結果が開いている場合に、領収書を開口部３から排出可能となるまでシャッター部材４０が開いたことを示す排出可能信号を制御部３０に出力する。また、制御部３０が、排出可能信号がシャッター制御部２１から入力されたことに応じて、印字制御部１１を介して印字搬送部１３を制御して、領収書を印刷するようにする。
【００４３】
なお、上記の第１の開閉位置検出部と第２の開閉位置検出部とは、同一の構成としてもよい。また、上記の保持可能位置情報記憶部と排出可能位置情報記憶部とは、同一の構成としてもよい。
【００４４】
なお、上記の保持可能位置Ｐ４とは、図３に示すように、閉鎖位置Ｐ２と開放位置Ｐ１との間の開閉位置であって、例えば、下側ガイド部材４ｂに沿って印刷用紙２が搬送される位置に対応するシャッター部材４０の開閉位置である。
また、上記の排出可能位置Ｐ３とは、図３に示すように、閉鎖位置Ｐ２と開放位置Ｐ１との間の開閉位置であって、例えば、上側ガイド部材４ａに沿って印刷用紙２が搬送される位置に対応するシャッター部材４０の開閉位置である。
なお、保持可能位置Ｐ４と排出可能位置Ｐ３とは、印刷用紙２の厚さや、材質、また、ガイド部材４とシャッター部材４０との材質に基づいて、定められてもよい。
【００４５】
また、印刷物発行装置１は、印字搬送部１３と開口部３との間のシャッター部材４０が開閉する位置に、紙受板５０が設けられている。より詳細には、紙受板５０は、下側ガイド部材４ｂの上面からずれた位置（図面においては下方の位置）であり、シャッター部材４０が閉じる方向に没するように設けられている。
【００４６】
次に、図４を用いて、印刷物発行装置１が、シャッター部材４０を閉じた状態について説明する。図４に示すように、シャッター部材４０が閉じた状態において、印刷用紙２は紙受板５０とシャッター部材４０とにより挟まれ、また、下側ガイド部材４ｂの上面と紙受板５０とシャッター部材４０とにより、屈曲されて印刷物発行装置１に保持される（図４の符号Ａ参照）。そのため、印刷用紙２は、カッター部１２を介してロータリーカッター６０により、完全に切り離され領収書となった場合においても、自重で落ちることや、風で飛ばされることがない。
【００４７】
また、シャッター部材４０は、閉鎖位置において、シャッター部材４０の下端面と紙受板５０の表面とにより、領収書を挟み、領収書を保持する。この領収書を挟むシャッター部材４０の下端面と紙受板５０の表面とは、保持された領収書に必要な張力が加えられることにより、領収書が印刷物発行装置１から取り出されることが可能なように、表面加工がされていてもよい。すなわち、保持力を高めるための粗面加工や、保持力を低減して引き出しを容易にするための平面加工など、印刷用紙２の寸法、自重、表面状態や、シャッター部材４０の押え力に応じて、必要な表面状態に調整してもよい。
【００４８】
次に、図５を用いて、印刷物発行装置１の動作について説明する。ここでは、領収書発行釦７０がユーザにより押下されたことにより、領収書を発行することを示す信号が印刷物発行装置１に入力され、印刷物発行装置１が領収書を発行する場合について説明する。
【００４９】
まず、ユーザが領収書発行釦７０を押下する（ステップＳ１０）。次に、領収書発行釦７０が押下されたことに応じて、領収書を発行することを示す信号が領収書発行釦７０または領収書発行釦７０と関連する制御部から印刷物発行装置１の制御部３０に入力される。次に、領収書を発行することを示す信号が入力された印刷物発行装置１の制御部３０は、発券指令を領収書発行ユニット１０の印字制御部１１へ出力するとともに、シャッターを開けることを示す信号であるシャッター開信号をシャッターユニット２０のシャッター制御部２１へ出力する（ステップＳ２０）。
【００５０】
次に、発券指令が入力された領収書発行ユニット１０の印字制御部１１は、印字搬送部１３に、印字指令を出力する。なお、この印字指令には、紙送りを開始する情報や、印字する情報なども含められている。また、シャッター開信号が入力されたシャッターユニット２０のシャッター制御部２１は、シャッター部材４０を開ける（ステップＳ３０）。
【００５１】
次に、シャッターユニット２０のシャッター制御部２１が、シャッターを開けつつ、領収書発行ユニット１０の印字搬送部１３が、印刷用紙２を紙送りするとともに、この紙送りされている印刷用紙２に印字する（ステップＳ４０）。
次に、印刷用紙２の紙送りと印字とが完了したことに応じて、印字完了信号を領収書発行ユニット１０の印字搬送部１３が、領収書発行ユニット１０の印字制御部１１を介して、制御部３０に出力する（ステップＳ５０）。
【００５２】
次に、印字完了信号が入力された制御部３０が、シャッターを閉じることを示す信号であるシャッター閉信号をシャッターユニット２０のシャッター制御部２１へ出力するとともに、領収書発行ユニット１０のカッター部１２へ印字制御部１１を介して、フルカットする信号を出力する（ステップＳ６０）。
次に、シャッター閉信号が入力されたシャッター制御部２１が、シャッター部材４０を閉じ、また、フルカットする信号が入力されたカッター部１２が、印刷用紙２をフルカットする（ステップＳ７０）。
【００５３】
以上により、フルカットされた印刷用紙２である領収書は、図４に示すように、下側ガイド部材４ｂと紙受板５０とシャッター部材４０とにより、挟まれ、屈曲されて印刷物発行装置１に保持される。そのため、領収書は、自重で落ちることや、風で飛ばされることがない。この状態で、ユーザが、領収書を、印刷物発行装置１から取り出すことができる。
【００５４】
次に、図６を用いて、図５の印刷物発行装置１の動作について詳細に説明する。なお、図５のステップと同一のステップには、同一の符号を付して説明する。
まず、ユーザが領収書発行釦７０を押下する（ステップＳ１０）。次に、領収書発行釦７０が押下されたことに応じて、領収書を発行することを示す信号が領収書発行釦７０または領収書発行釦７０と関連する制御部から印刷物発行装置１の制御部３０に入力される。
【００５５】
次に、領収書を発行することを示す信号が入力された印刷物発行装置１の制御部３０は、シャッターを開けることを示す信号であるシャッター開信号をシャッターユニット２０のシャッター制御部２１へ出力する（ステップＳ２０）。
次に、シャッター開信号が入力されたシャッター制御部２１は、シャッター部材４０を、閉鎖位置Ｐ２から排出可能位置Ｐ３を通過して開放位置Ｐ１へと開く。なお、シャッター制御部２１は、シャッター部材４０を排出可能位置Ｐ３まで開いたことを検出した場合、排出可能信号を制御部３０へ出力する（ステップＳ２５）。
【００５６】
次に、排出可能信号が入力された制御部３０は、印字および搬送を実行することを示す印字搬送信号を印字搬送部１３へ印字制御部１１を介して出力する（ステップＳ３０）。なお、上記の図６におけるステップＳ２０のシャッター開信号とステップＳ３０の印字搬送信号とが、図５におけるステップＳ２０における発券指令に対応する。
【００５７】
図６の説明に戻り、次に、印字搬送信号が入力された印字搬送部１３は、印刷用紙２を搬送しつつ、搬送される印刷用紙２に印字する（ステップＳ４０）。次に、印字および搬送が完了したことを検出した印字搬送部１３は、印字完了信号を、印字制御部１１を介して制御部３０へ出力する（ステップＳ５０）。
【００５８】
次に、印字完了信号が入力された制御部３０は、シャッターを閉じることを示す信号であるシャッター閉信号をシャッターユニット２０のシャッター制御部２１へ出力する（ステップＳ６０）。次に、シャッター閉信号が入力されたシャッターユニット２０のシャッター制御部２１は、シャッター部材４０を、開放位置Ｐ１から保持可能位置Ｐ４を通過して閉鎖位置Ｐ２へと閉じる。なお、シャッター制御部２１は、シャッター部材４０を保持可能位置Ｐ４まで閉じたことを検出した場合、保持可能信号を制御部３０へ出力する（ステップＳ６５）。
【００５９】
次に、保持可能信号が入力された制御部３０は、領収書発行ユニット１０のカッター部１２へ印字制御部１１を介して、フルカットする信号を出力する（ステップＳ７０）。次に、フルカットする信号が入力されたカッター部１２が、印刷用紙２をフルカットする（ステップＳ８０）。その後、ユーザが、フルカットされた印刷用紙２である領収書を、印刷物発行装置１から取り出す。
【００６０】
以上説明したように、第１の実施形態によれば、領収書発行装置としての印刷物発行装置１の制御部３０が、印字搬送部１３による印刷が完了したことを条件として、シャッター制御部２１を制御してシャッター部材４０を閉じるとともに、カッター部１２を制御して領収書をフルカットし、領収書が閉じられたシャッター部材４０に保持されることにより、印刷物発行装置１が領収書を人が取り出すまでは保持することができる。この際、領収書が印刷用紙２から完全に切り離されているために、人が領収書を取り出す場合においても、これから印刷される印刷用紙２には外力が加わることがないために、紙詰まりの原因となる印刷用紙の走行経路の乱れを低減することができる。
【００６１】
また、第１の実施形態による印刷物発行装置１においては、制御部３０が、印刷発行物を発行する信号が入力されたことを条件として、シャッター制御部２１を制御してシャッター部材４０を開くとともに、印字搬送部１３を制御して印刷発行物を印刷することにより、領収書を発行していない待機時においては、シャッター部材４０が閉鎖位置Ｐ２にあり、シャッターが閉じていることにより、雨やチリなどが、印刷物発行装置１内部に入ることを防止できるという効果を奏する。そのため、第１の実施形態による印刷物発行装置１は、屋外に設置される場合においても好適である。
【００６２】
なお、第１の実施形態においては、シャッター制御部２１が、シャッター部材４０の開閉位置を検出することにより、シャッター部材４０が排出可能位置Ｐ３または保持可能位置Ｐ４まで開閉したか否かを検出するようにしたが、これに限られるものではなく、たとえば、時間を計測することにより、シャッター部材４０が排出可能位置Ｐ３または保持可能位置Ｐ４にあるか否かを検出するようにしてもよい。
【００６３】
例えば、シャッター制御部２１が、シャッター部材４０が開放位置Ｐ１にある状態から閉じ始めてからの時間を計測し、この計測した時間と、予め定められたシャッター部材４０が開放位置Ｐ１から排出可能位置Ｐ３まで閉じる時間とを比較して、シャッター部材４０が排出可能位置Ｐ３まで閉じたか否かを検出するようにしてもよい。また、保持可能位置Ｐ４も、同様に時間を計測することにより、検出するようにしてもよい。
【００６４】
＜第２の実施形態＞
次に、図７から図９を用いて、第２の実施形態について説明する。この第２の実施形態による印刷物発行装置１は、第１の実施形態による印刷物発行装置１と同様の構成を有している。ここでは、第２の実施形態による印刷物発行装置１の構成において、第１の実施形態による印刷物発行装置１との相違点についてのみ説明する。なお、この第２の実施形態の構成において、図１から図６に示した第１の実施形態の構成と同様の構成には同一の符号を付し、その説明を省略する。
【００６５】
まず、図７を用いて、図３に示す第１の実施形態と、第２の実施形態との構成における相違点について説明する。この図７に示すように、第２の実施形態による印刷物発行装置１は、ロータリーカッター６０と開口部３およびガイド部材４との間に設置され、ガイド部材４を介して開口部３に、印字搬送部１３が印刷した印刷用紙２を挟持して搬送するローラ部９０を有している。
【００６６】
ローラ部９０は、搬送される印刷用紙２に対して互いに対向する位置に設置されている押さえローラ７と送り出しローラ８とを有している。この送り出しローラ８が、印刷用紙２を搬送するように回転駆動される。たとえば、印刷物発行装置１は、送り出しローラ８を回転駆動させる駆動モータを有しており、制御部３０がこの駆動モータを制御する。また、押さえローラ７が、送り出しローラ８の方向に付勢されている。たとえば、バネなどの弾性体により、押さえローラ７が、送り出しローラ８の方向に付勢されている。
【００６７】
この図７に示すように、一例としての印字搬送部１３は、印刷用紙２に印刷するサーマルヘッドなどの印字ヘッド部５と、印刷用紙２を搬送するプラテンローラ６とを有している。なお、図３においては印字搬送部１３を省略して記載しているが、図３においても図７と同様に、図３の紙面上においてロータリーカッター６０の左側に、印字搬送部１３が設置されている。
【００６８】
次に、このローラ部９０の動作、すなわち、制御部３０によるローラ部９０の制御方法について説明する。
【００６９】
制御部３０は、ローラ部９０を制御して、印字搬送部１３が印刷用紙２を印刷して搬送している場合には、印刷用紙２を挟持して搬送し、ロータリーカッター６０が領収書を印刷用紙２から完全に切り離した場合には、領収書を挟持する。たとえば、制御部３０は、ローラ部９０を制御して、領収書が印刷用紙２から完全に切り離された後は、ローラ部９０が領収書を挟持するようにする。そして、制御部３０は、ローラ部９０を制御して、領収書が印刷用紙２から完全に切り離され、シャッター部材４０が閉じられている場合には、ローラ部９０が領収書を挟持するようにする。
【００７０】
また、制御部３０は、ローラ部９０を制御して、ロータリーカッター６０が領収書を印刷用紙２から完全に切り離すように切断している場合には、印刷用紙２を挟持しつつ搬送を停止する。これは、ロータリーカッター６０が領収書を正常に切断できるようにするためである。そして、ロータリーカッター６０は、印刷用紙２から切断された領収書を、挟持する。
【００７１】
上述したように、印字搬送部１３が印刷用紙２を搬送する期間だけ、制御部３０はローラ部９０を制御して印刷用紙２を搬送させる。たとえば、図６を用いて説明した印刷物発行装置１の動作において、印字搬送部１３が印刷用紙２を搬送する期間、すなわち、印字搬送部１３が印刷用紙２を印刷して搬送する期間であるステップＳ４０の期間において、制御部３０はローラ部９０の送り出しローラ８を回転駆動させて、ローラ部９０が印刷用紙２を搬送する。
【００７２】
そして、この印字搬送部１３が印刷用紙２を搬送する期間において、ローラ部９０は、ローラ部９０が有する押さえローラ７と送り出しローラ８とにより印刷用紙２を搬送しつつ、押さえローラ７と送り出しローラ８との間で、この印刷用紙２を挟持している。
【００７３】
次に、第２の実施形態による印刷物発行装置１の動作について説明する。この第２の実施形態による印刷物発行装置１の一例としての動作は、このローラ部９０の動作以外は、第１の実施形態の場合と同様である。すなわち、第２の実施形態による印刷物発行装置１は、図５および図６の第１の実施形態の場合と同様に、動作する。ただし、上述したように、印字搬送部１３が印刷用紙２を印刷して搬送する期間であるステップＳ４０において、ローラ部９０が、印刷用紙２を搬送するとともに、この印刷用紙２を挟持している点が異なる。
【００７４】
そして、図６を用いて説明した印刷物発行装置１と同様の動作により、図６のステップＳ８０に示すようにフルカットが行われた場合には、図８に示すような状態となる。
【００７５】
この図８に示すように、図４の場合と同様に、シャッター部材４０が閉じた状態において、領収書は紙受板５０とシャッター部材４０とにより挟まれ、また、下側ガイド部材４ｂの上面と紙受板５０とシャッター部材４０とにより、屈曲されて印刷物発行装置１に保持される（図８の符号Ａ参照）。更に、ローラ部９０が、領収書を挟持している（図８の符号Ｂ参照）。
【００７６】
以降、シャッター部材４０が閉じた状態において、領収書は紙受板５０とシャッター部材４０とにより挟まれる領域、および、下側ガイド部材４ｂの上面と紙受板５０とシャッター部材４０とにより、屈曲されて印刷物発行装置１に保持される領域（図８の符号Ａを参照）を、第１の保持領域と称して説明する。また、ローラ部９０により、領収書を挟持している領域（図８の符号Ｂを参照）を、第２の保持領域と称して説明する。
【００７７】
上述したように、第１の実施形態においては、印刷物発行装置１は第１の保持領域（図４の符号Ａを参照）のみで領収書を保持していたのに対して、この第２の実施形態においては、印刷物発行装置１は第１の保持領域と第２の保持領域との２つの保持領域（図８の符号Ａと符号Ｂとを参照）で領収書を保持している。
【００７８】
このように、この第２の実施形態は、第１の実施形態と同様に第１の保持領域で領収書を保持している。そのため、この第２の実施形態においては、第１の実施形態と同様に、印刷用紙２は、カッター部１２を介してロータリーカッター６０により完全に切り離され領収書となった場合においても、自重で落ちることや、風で飛ばされることがない。また、この第２の実施形態においては、第１の実施形態と同様に、第１の保持領域（図８の符号Ａを参照）で領収書を保持しているため、第１の実施形態の場合と同様の効果が得られる。
【００７９】
更に、この第２の実施形態においては、印刷物発行装置１は第１の保持領域と第２の保持領域との２つの保持領域（図８の符号Ａと符号Ｂとを参照）で領収書を保持していることにより、次のような効果を得ることができる。
【００８０】
たとえば、第１の実施形態の場合のように第１の保持領域のみの１つの保持領域で領収書を保持する場合には、突風が発生した場合には、この１つの保持領域では、十分に領収書を保持することができずに、領収書が飛散する可能性がある。このように１つの保持領域で領収書を保持する場合に、突風が発生する場合でも領収書が飛散しないようにするためには、この１つの保持領域で領収書を保持する力を大きくすることが考えられる。すなわち、紙受板５０とシャッター部材４０とにより領収書を挟む圧力を大きくすること、または、下側ガイド部材４ｂの上面と紙受板５０とシャッター部材４０とにより屈曲して領収書を保持する力を大きくすることが考えられる。しかしながら、領収書は、人の手により引っ張って取り出されるものであるため、領収書を大きな力で保持した場合には、人の手により領収書が引っ張って取り出される場合に、領収書が引っ張って取り出されずに、ちぎれる可能性がある。
【００８１】
これに対して、第２の実施形態においては、上述したように、１つの保持領域で領収書を保持するのではなく、第１の保持領域と第２の保持領域との２つの保持領域で領収書を保持している。よって、この２つの保持領域で領収書を保持する力を分散させて、領収書を保持することができる。そのため、突風が発生する場合にも領収書が飛散することがないような力で保持しつつ、かつ、領収書が人の手により引っ張って取り出される場合でも、領収書がちぎれる可能性が無い力で保持することができる。
【００８２】
また、第２の実施形態においては、この２つの保持領域で領収書を保持しているため、紙受板５０とシャッター部材４０とにより領収書を挟む圧力を、第１の実施形態の場合に対比して小さくすることも可能である。よって、第２の実施形態は第１の実施形態に対比して、たとえば、シャッター部材４０として軽量なものを用いることも可能である。これは、シャッター部材４０は、閉じた状態で領収書を自重で挟み保持しているからである。
【００８３】
次に、ローラ部９０と印字搬送部１３との関係について詳細に説明する。ローラ部９０と印字搬送部１３においては、ローラ部９０が印刷用紙２を挟持して搬送する速度が、印字搬送部１３が印刷用紙２を搬送する速度よりも速くなるようにしてある。すなわち、ローラ部９０の送り出しローラ８による印刷用紙２の搬送速度が、印字搬送部１３のプラテンローラ６による印刷用紙２の搬送速度よりも速い。これにより、印字搬送部１３のプラテンローラ６とローラ部９０の送り出しローラ８との間で、印刷用紙２には張力が加えられるために、印刷用紙２がたわまないようにして搬送することができる。
【００８４】
たとえば、ローラ部９０の送り出しローラ８による印刷用紙２の搬送速度が、印字搬送部１３のプラテンローラ６による印刷用紙２の搬送速度よりも速くなるようにするために、送り出しローラ８とプラテンローラ６との回転速度を同じとし、ローラ部９０の送り出しローラ８の直径よりも、印字搬送部１３のプラテンローラ６の直径が大きくなるようにしてもよい。
【００８５】
ところで、印字搬送部１３のプラテンローラ６とローラ部９０の送り出しローラ８との間で、もし、印刷用紙２に大きい張力を加えるような場合があると、印刷用紙２が破れる可能性がある。本実施形態においては、印刷用紙２に加えられる張力は、印刷用紙２が破れる可能性がないように、送り出しローラ８の直径とプラテンローラ６の直径との大きさが予め定められている。
【００８６】
一例としては、送り出しローラ８の直径を１８．３ｍｍとし、プラテンローラ６の直径を２０．０ｍｍとする。一般的には、印刷用紙２の紙質、および、送り出しローラ８とプラテンローラ６とのローラ表面部分の材質にも依存するが、ローラ部９０の送り出しローラ８による印刷用紙２の搬送速度が、印字搬送部１３のプラテンローラ６による印刷用紙２の搬送速度よりも、１０％程度速いことが望ましい。
【００８７】
また、印字搬送部１３のプラテンローラ６とローラ部９０の送り出しローラ８との間で印刷用紙２が破れないようにするために、押さえローラ７が送り出しローラ８の方向に付勢されている力を、調整するようにしてもよい。たとえば、バネなどの弾性体を調整して、押さえローラ７が送り出しローラ８の方向に付勢されている圧力を、印字搬送部１３のプラテンローラ６とローラ部９０の送り出しローラ８との間で印刷用紙２が破れないような値に、予め調整しておく。
【００８８】
これにより、印字搬送部１３のプラテンローラ６とローラ部９０の送り出しローラ８との間で印刷用紙２が破れるような場合には、バネなどの弾性体により、押さえローラ７が送り出しローラ８から遠ざかる方に変位させることができる。そのため、印刷用紙２が破れるような場合には、押さえローラ７と送り出しローラ８とは、印刷用紙２に対して空転するまたは滑るようになる。よって、ローラ部９０は、印刷用紙２が破れるまで、印刷用紙２を搬送することがない。このようにして、第２の実施形態においては、印字搬送部１３のプラテンローラ６とローラ部９０の送り出しローラ８との間で、印刷用紙２が破れることがない。
【００８９】
なお、プラテンローラ６が印刷用紙２を搬送する場合の力（圧力）と、送り出しローラ８が印刷用紙２を搬送する場合の力（圧力）とでは、プラテンローラ６が印刷用紙２を搬送する力（圧力）の方が大きくなるようにしてあり、プラテンローラ６上で印刷用紙２がすべることがないようにしてある。これにより、送り出しローラ８がプラテンローラ６よりも早く印刷用紙２を搬送しようとする場合においても、プラテンローラ６は、自身の回転速度で印刷用紙２を搬送することができる。よって、印字ヘッド部５は、プラテンローラ６により搬送される印刷用紙２に、印刷することができる。
【００９０】
ところで、ローラ部９０で保持された領収書は、人の手で引っ張られることにより、抜き取って取り出される必要がある。この抜き取りのために、たとえば、ローラ部９０の押さえローラ７は、摩擦係数の低い材質、たとえば、ジュラコン製であることが望ましい。これにより、領収書が人の手で引っ張られた場合に、ローラ部９０から領収書が、スムーズに抜き取られるようになる。
【００９１】
また、ローラ部９０の押さえローラ７と送り出しローラ８との間で挟持されている領収書が、人の手で引っ張られて抜き取って取り出されるように、押さえローラ７が送り出しローラ８の方向に付勢されている力を、調整するようにしてもよい。たとえば、バネなどの弾性体を調整してもよい。これにより、領収書が人の手で引っ張られた場合に、ローラ部９０から領収書が、スムーズに抜き取られるようになる。また、印字搬送部１３のプラテンローラ６とローラ部９０の送り出しローラ８を連動して回転させている場合は、プラテンローラ６と送り出しローラ８の駆動伝達部に丸断面ベルトとプーリーのような過大な力が加わった時に、プーリーが滑り駆動伝達力が減少する方式を採用しても良い。そうすることにより、領収書が人の手で引っ張られた場合に、送り出しローラ８のみ空転し、領収書がスムーズに抜き取られるようになる。また、空転することにより、プラテンローラ６が動かず、次領収書発行に影響がない。
【００９２】
なお、上記に説明した第２の実施形態による印刷物発行装置１の動作は、ローラ部９０の動作以外は、第１の実施形態の場合と同様である、として説明した。すなわち、第２の実施形態による印刷物発行装置１は、図５および図６の第１の実施形態の場合と同様に、動作するものとして説明した。しかし、第２の実施形態による印刷物発行装置１の動作は、これに限るものではない。
【００９３】
たとえば、第１の実施形態による印刷物発行装置１においては、印刷物発行装置１は第１の保持領域（図８の符号Ａ参照）のみで印刷用紙２を保持するために、制御部３０は、シャッター部材４０が保持可能範囲にあることを条件として、印字制御部１１を介してカッター部１２を制御して、領収書をフルカットする必要があった。
【００９４】
これに対して、第２の実施形態による印刷物発行装置１においては、第１の保持領域と第２の保持領域との２つの保持領域で印刷用紙２を保持しており、特に、印刷用紙２が開口部３へ搬送される場合には、常に、第２の保持領域で印刷用紙２が保持されている。すなわち、印刷用紙２が開口部３へ搬送される場合には、ローラ部９０が、印刷用紙２を、挟持している。そのため、シャッター部材４０が保持可能範囲に無い場合に、印刷用紙２から領収書がフルカットされたとしても、この領収書はローラ部９０により挟持されており、自重で落ちることがない。
【００９５】
よって、第２の実施形態による印刷物発行装置１においては、制御部３０が、シャッター部材４０が保持可能範囲にあることを条件として、印字制御部１１を介してカッター部１２を制御して、領収書をフルカットする必要がない。すなわち、第２の実施形態による印刷物発行装置１においては、第１の実施形態による印刷物発行装置１の動作のように、シャッター制御部２１は、図６のステップＳ６５に示すように、シャッター部材４０を保持可能位置Ｐ４まで閉じたことを検出する必要がない。
【００９６】
次に、図９を用いて、シャッター部材４０を保持可能位置Ｐ４まで閉じたことを検出しない場合における第２の実施形態による印刷物発行装置１の、一例としての動作を説明する。なお、この図９において、図６の第１の実施形態による印刷物発行装置１の動作と同一の動作には、同一の符号（ステップ番号）を付して説明する。
【００９７】
この図９の動作において、ステップＳ１０からステップＳ５０までの動作においては、ステップＳ４０においてローラ部９０が動作すること以外については、第２の実施形態による印刷物発行装置１の動作は、第１の実施形態の場合と同様である。そのため、ステップＳ１０からステップＳ５０までの動作の説明を省略する。
【００９８】
次に、ステップＳ５０以降の印刷物発行装置１の動作について説明する。なお、このステップＳ５０において、ローラ部９０が、印刷用紙２を挟持している点が、第２の実施形態と第１の実施形態とでは、相違している。
【００９９】
このステップＳ５０で、印字完了信号が印字搬送部１３から入力された制御部３０は、次に、領収書発行ユニット１０のカッター部１２へ印字制御部１１を介して、フルカットする信号を出力する（ステップＳ７０）。次に、フルカットする信号が入力されたカッター部１２が、印刷用紙２をフルカットする（ステップＳ８０）。
【０１００】
また、その後、印字完了信号が印字搬送部１３から入力された制御部３０は、シャッターを閉じることを示す信号であるシャッター閉信号をシャッターユニット２０のシャッター制御部２１へ出力する（ステップＳ９０）。次に、シャッター閉信号が入力されたシャッターユニット２０のシャッター制御部２１は、シャッター部材４０を、開放位置Ｐ１から閉鎖位置Ｐ２へと閉じる。その後、ユーザが、フルカットされた印刷用紙２である領収書を、印刷物発行装置１から取り出す。
【０１０１】
なお、この図９において、制御部３０は、ステップＳ８０で印刷用紙２をフルカットした後に、シャッター閉信号を出力して（図９のステップＳ９０参照）、シャッター部材４０を閉鎖位置Ｐ２へと閉じている。しかし、これに限られるものではなく、図６の場合と同様に、ステップＳ５０で印字完了信号が入力されたことに応じて、制御部３０は、シャッター閉信号を出力して、シャッター部材４０を閉鎖位置Ｐ２へと閉じるようにしてもよい。このように、制御部３０は、シャッター部材４０の位置に依存せずに、印字完了信号が印字搬送部１３から入力された後であれば、任意のタイミングで、シャッターを閉じることを示す信号であるシャッター閉信号をシャッターユニット２０のシャッター制御部２１へ出力してもよい。
【０１０２】
上述したように、第２の実施形態においては、図９のステップＳ５０において、ローラ部９０が印刷用紙２を挟持しているために、この状態において印刷用紙２をフルカットしたとしても、印刷用紙２からフルカットされた領収書が印刷物発行装置１から落ちることが無い。よって、第１の実施形態の場合のように、シャッター部材４０が保持可能範囲にあることを条件として、印字制御部１１を介してカッター部１２を制御して、領収書をフルカットする必要がない。
【０１０３】
このように、第２の実施形態においては、シャッター部材４０が保持可能範囲にあるか否かを判定する必要がないため、第１の実施形態に対比して、シャッター部材４０が保持可能範囲にあるか否かを判定する処理を減じる効果がある。また、この判定結果に応じて制御部３０が動作する必要がないため、制御部３０で実行される処理を、簡易にすることができる効果がある。
【０１０４】
ところで、突風が発生した場合においても領収書が飛散することを防止するためには、第２の実施形態においても、第１の実施形態と同様に、制御部３０が、シャッター部材４０が保持可能範囲にあることを条件として、印字制御部１１を介してカッター部１２を制御して、領収書をフルカットする方が望ましい。このようにすることにより、フルカットされた領収書は、印刷用紙２からフルカットされる段階から、第１の保持領域と第２の保持領域との２つの保持領域で保持されている。よって、領収書がフルカットされた後の任意のタイミングで突風が発生するような場合においても、領収書が飛散することがない。
【０１０５】
なお、第１の実施形態または第２の実施形態においては、水平方向に領収書を発行する場合の印刷物発行装置１について説明したが、これに限られるものではなく、印刷物発行装置１は、下方向または上方向に領収書を発行するようにしてもよい。
また、第１の実施形態または第２の実施形態においては、印刷発行物として領収書を発行する場合の印刷物発行装置１について説明したが、これに限られるものではなく、印刷物発行装置１は、たとえば、待ち順序を整理するための整理番号である印刷発行物を発券する発券装置や、乗車券や航空券である印刷発行物を発行する発券装置に用いることも可能である。
【０１０６】
なお、上記に説明した第１の実施形態または第２の実施形態においては、図２における制御部３０と印字制御部１１とを異なる構成として説明したが、この制御部３０と印字制御部１１とは、一体として構成するようにしてもよい。
【０１０７】
また、図２における制御部３０または印字制御部１１は専用のハードウェアにより実現されるものであってもよく、また、この制御部３０または印字制御部１１はメモリおよびＣＰＵ（中央演算装置）により構成され、制御部３０または印字制御部１１の機能を実現するためのプログラムをメモリにロードして実行することによりその機能を実現させるものであってもよい。
【０１０８】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【０１０９】
【図１】この発明の第１の実施形態による領収書発行装置の概略構成を示す構成図である。
【図２】図１の印刷物発行装置１の構成を示す概略ブロック図である。
【図３】シャッター部材４０を開いた状態における第１の実施形態による印刷物発行装置１を横から見た断面図である。
【図４】シャッター部材４０を閉じた状態における第１の実施形態による印刷物発行装置１を横から見た断面図である。
【図５】第１の実施形態による印刷物発行装置１の動作概要を示すフローチャートである。
【図６】第１の実施形態による印刷物発行装置１の動作を詳細に示すフローチャートである。
【図７】シャッター部材４０を開いた状態における第２の実施形態による印刷物発行装置１を横から見た断面図である。
【図８】シャッター部材４０を閉じた状態における第２の実施形態による印刷物発行装置１を横から見た断面図である。
【図９】第２の実施形態による印刷物発行装置１の動作を詳細に示すフローチャートである。
【図１０】従来の領収書発行装置の概略構成を示す構成図である。
【符号の説明】
【０１１０】
１、１０１  印刷物発行装置
２、１０２  印刷用紙
３、１０３  開口部
４、１０４  ガイド部材
４ａ  上側ガイド部材
４ｂ  下側ガイド部材
５  印字ヘッド部
６  プラテンローラ
７  押さえローラ
８  送り出しローラ
１０、１１０  領収書発行ユニット
１１  印字制御部
１２  カッター部
１３  印字搬送部
２０  シャッターユニット
２１  シャッター制御部
３０  制御部
４０  シャッター部材
５０  紙受板
６０  ロータリーカッター
７０  領収書発行釦
９０  ローラ部
Ｐ１  開放位置
Ｐ２  閉鎖位置
Ｐ３  排出可能位置
Ｐ４  保持可能位置
【図１】
0005237067.tif 000002
【図２】
0005237067.tif 000003
【図３】
0005237067.tif 000004
【図４】
0005237067.tif 000005
【図５】
0005237067.tif 000006
【図６】
0005237067.tif 000007
【図７】
0005237067.tif 000008
【図８】
0005237067.tif 000009
【図９】
0005237067.tif 000010
【図１０】
0005237067.tif 000011